(57)【要約】      （修正有）【課題】暗中及び高温環境下で使用された場合の放電開始電圧の上昇に起因する放電遅れを抑制することができると共に、短い周期で繰り返し動作させた場合において長時間に亘って安定的な連続放電特性を備えた放電管を提供する。【解決手段】円筒状のケース部材１２の両端開口部を、放電電極を兼ねた一対の蓋部材で気密に封止して気密外囲器を形成すると共に、該気密外囲器内に放電ガスを封入し、また、上記蓋部材の放電電極部１８，１８間に放電間隙を形成すると共に、ケース部材１２の内壁面２４に、その両端が、蓋部材と微小放電間隙を隔てて配置された複数のトリガ放電膜２８を形成し、さらに、上記放電電極部１８の表面に、円筒状のケース部材１２の内壁面２４と同心の円Ｘ，Ｙ上に配置される多数の穴部２９を形成すると共に、穴部２９内面に、チタン、モリブデン酸セシウム、モリブデン酸カリウム及び酸化チタンが含有された被膜を形成した。【選択図】図１３
0003150959.tif 000002
【実用新案登録請求の範囲】
【請求項１】
複数の放電電極を放電間隙を隔てて配置すると共に、これを放電ガスと共に気密外囲器内に封入してなる放電管において、上記放電電極の表面に、チタン、モリブデン酸セシウム、モリブデン酸カリウム及び酸化チタンが含有された被膜を形成したことを特徴とする放電管。
【請求項２】
複数の放電電極を放電間隙を隔てて配置すると共に、これを放電ガスと共に気密外囲器内に封入してなる放電管において、上記放電電極の表面に、多数の穴部を形成すると共に、上記穴部内面に、チタン、モリブデン酸セシウム、モリブデン酸カリウム及び酸化チタンが含有された被膜を形成したことを特徴とする放電管。
【請求項３】
円筒状のケース部材の両端開口部を、放電電極を兼ねた一対の蓋部材で気密に封止することによって気密外囲器を形成すると共に、該気密外囲器内に放電ガスを封入し、また、気密外囲器内に配置される上記蓋部材の放電電極部間に放電間隙を形成すると共に、上記ケース部材の内壁面に、その両端が上記蓋部材と微小放電間隙を隔てて配置された複数のトリガ放電膜を形成してなる放電管において、上記放電電極部の表面に、上記円筒状のケース部材の内壁面と同心の円上に配置される多数の穴部を形成すると共に、上記穴部内面に、チタン、モリブデン酸セシウム、モリブデン酸カリウム及び酸化チタンが含有された被膜を形成したことを特徴とする放電管。
【請求項４】
上記チタン、モリブデン酸セシウム、モリブデン酸カリウム及び酸化チタンの含有割合は、チタンが０．０１〜５０重量％、モリブデン酸セシウムが０．０１〜５０重量％、モリブデン酸カリウムが０．０１〜５０重量％、酸化チタンが０．０１〜５０重量％であることを特徴とする請求項１乃至３の何れかに記載の放電管。
【考案の詳細な説明】
【技術分野】
【０００１】
この考案は放電管に係り、特に、プロジェクターや自動車のメタルハライドランプ等の高圧放電ランプやガス調理器等の着火プラグに、点灯用又は着火用の定電圧を供給するためのスイッチングスパークギャップとして、或いは、サージ電圧を吸収するためのガスアレスタ（避雷管）として好適に使用できる放電管に関する。
【背景技術】
【０００２】
この種の放電管として、本出願人は、先に実用新案登録第３１４１９８５号を提案した。
この放電管60は、図１８に示すように、両端が開口した絶縁材よりなる円筒状のケース部材62の両端開口部を、放電電極を兼ねた一対の蓋部材64，64で気密に封止することによって気密外囲器66を形成し、該気密外囲器66内に、所定の放電ガスを封入してなる。
【０００３】
上記蓋部材64は、気密外囲器66の中心に向けて大きく突き出た平面状の放電電極部68と、ケース部材62の端面に接する接合部70を備えており、両蓋部材64，64の放電電極部68，68間には、所定の放電間隙72が形成されている。
また、上記ケース部材62の内壁面74には、その両端が、放電電極を兼ねた上記蓋部材64，64と微小放電間隙76を隔てて対向配置された線状のトリガ放電膜78が複数形成されている。
【０００４】
上記放電電極部68の表面には、チタン（Ｔｉ）、モリブデン酸セシウム（Ｃｓ２ＭｏＯ４）、酸化マグネシウム（ＭｇＯ）、モリブデン酸カリウム（Ｋ２ＭｏＯ４）及びモリブデン酸ルビジウム（Ｒｂ２ＭｏＯ４）が含有された被膜80が形成されている。
【０００５】
上記構成を備えた放電管60にあっては、放電電極を兼ねた上記一対の蓋部材64，64間に、当該放電管60の放電開始電圧以上の電圧が印加されると、トリガ放電膜78の両端と蓋部材64，64間の微小放電間隙76に電界が集中し、これにより微小放電間隙76に電子が放出されてトリガ放電としての沿面コロナ放電が発生する。次いで、この沿面コロナ放電は、電子のプライミング効果によってグロー放電へと移行する。そして、このグロー放電が放電電極部68，68間の放電間隙72へと転移し、主放電としてのアーク放電に移行するのである。
【特許文献１】実用新案登録第３１４１９８５号
【考案の開示】
【考案が解決しようとする課題】
【０００６】
上記放電管60は、放電電極部68の表面に、チタン、モリブデン酸セシウム、酸化マグネシウム、モリブデン酸カリウム及びモリブデン酸ルビジウムが含有された被膜80を形成したことにより、暗中及び高温環境下で使用された場合の放電開始電圧の上昇に起因する放電遅れを抑制することができる優れた特性を備えるものである。
【０００７】
しかしながら、放電管が例えばスイッチングスパークギャップとして使用される場合等、放電管の使用条件によっては、上記特性のみならず、更に、短い周期で繰り返し動作させた場合において長時間に亘って安定的な連続放電特性を要求されることがある。
【０００８】
この考案は、従来の上記問題に鑑みてなされたものであり、その目的とするところは、暗中及び高温環境下で使用された場合の放電開始電圧の上昇に起因する放電遅れを抑制することができると共に、短い周期で繰り返し動作させた場合において長時間に亘って安定的な連続放電特性を備えた放電管を実現することにある。
【課題を解決するための手段】
【０００９】
本考案者らは、被膜に含有させる材料について種々検討を試みた結果、チタン（Ｔｉ）、モリブデン酸セシウム（Ｃｓ２ＭｏＯ４）、モリブデン酸カリウム（Ｋ２ＭｏＯ４）及び酸化チタン（ＴｉＯ２）を含有させて被膜を構成した場合に、暗中及び高温環境下で使用された場合の放電開始電圧の上昇に起因する放電遅れを抑制することができると共に、短い周期で繰り返し動作させた場合において長時間に亘って安定的な連続放電特性を得られることを見出し、本考案を完成するに至ったものである。
すなわち、本考案に係る第１の放電管は、複数の放電電極を放電間隙を隔てて配置すると共に、これを放電ガスと共に気密外囲器内に封入してなる放電管において、上記放電電極の表面に、チタン、モリブデン酸セシウム、モリブデン酸カリウム及び酸化チタンが含有された被膜を形成したことを特徴とする。
【００１０】
また、本考案に係る第２の放電管は、複数の放電電極を放電間隙を隔てて配置すると共に、これを放電ガスと共に気密外囲器内に封入してなる放電管において、上記放電電極の表面に、多数の穴部を形成すると共に、上記穴部内面に、チタン、モリブデン酸セシウム、モリブデン酸カリウム及び酸化チタンが含有された被膜を形成したことを特徴とする。
【００１１】
さらに、本考案に係る第３の放電管は、円筒状のケース部材の両端開口部を、放電電極を兼ねた一対の蓋部材で気密に封止することによって気密外囲器を形成すると共に、該気密外囲器内に放電ガスを封入し、また、気密外囲器内に配置される上記蓋部材の放電電極部間に放電間隙を形成すると共に、上記ケース部材の内壁面に、その両端が上記蓋部材と微小放電間隙を隔てて配置された複数のトリガ放電膜を形成してなる放電管において、上記放電電極部の表面に、上記円筒状のケース部材の内壁面と同心の円上に配置される多数の穴部を形成すると共に、上記穴部内面に、チタン、モリブデン酸セシウム、モリブデン酸カリウム及び酸化チタンが含有された被膜を形成したことを特徴とする。
【００１２】
上記チタン、モリブデン酸セシウム、モリブデン酸カリウム及び酸化チタンの含有割合は、チタンが０．０１〜５０重量％、モリブデン酸セシウムが０．０１〜５０重量％、モリブデン酸カリウムが０．０１〜５０重量％、酸化チタンが０．０１〜５０重量％と成すのが好ましい。
【考案の効果】
【００１３】
本考案に係る上記第１の放電管乃至第３の放電管にあっては、放電電極（放電電極部）の表面に、チタン、モリブデン酸セシウム、モリブデン酸カリウム及び酸化チタンが含有された被膜を形成したことにより、暗中及び高温環境下で使用された場合の放電開始電圧の上昇に起因する放電遅れを抑制することができると共に、短い周期で繰り返し動作させた場合において長時間に亘って安定的な連続放電特性を実現することができる。
【００１４】
また、第２の放電管にあっては、放電電極部の表面に多数の穴部を形成し、該穴部内面に被膜を形成したことにより、放電電極部と被膜の密着力が向上し、放電時の衝撃による被膜のスパッタを抑制する効果を奏する。
【００１５】
尚、放電時の衝撃で被膜はスパッタされやすく、スパッタで飛散した被膜の構成材料（以下、スパッタ飛散物と称する）がケース部材の内壁面やトリガ放電膜に付着・堆積することが、放電開始電圧の不安定化をもたらす原因であり、特に、スパッタ飛散物の堆積量が、ケース部材の内壁面やトリガ放電膜の箇所毎にバラバラであることが、放電開始電圧の不安定化を促進する大きな要因となっている。
本考案に係る第３の放電管にあっては、被膜が形成される多数の穴部を、円筒状のケース部材の内壁面と同心の円上に配置形成したので、同一の円上に配置された各穴部とケース部材の内壁面との距離は全て同一となる。
このため、ケース部材の内壁面の特定の箇所及び特定のトリガ放電膜において、スパッタ飛散物の堆積量に多少の差が生じることを抑制でき、ケース部材の内壁面及びトリガ放電膜へのスパッタ飛散物の堆積量が平準化されるので、放電開始電圧の安定化を実現できる。
【考案を実施するための最良の形態】
【００１６】
図１及び図２に示す本考案に係る第１の放電管10は、両端が開口した絶縁材としてのセラミックよりなる円筒状のケース部材12の両端開口部を、放電電極を兼ねた一対の蓋部材14，14で気密に封止することによって気密外囲器16を形成してなる。
【００１７】
上記蓋部材14は、気密外囲器16の中心に向けて大きく突き出た略円柱状の放電電極部18と、ケース部材12の端面に接する接合部20を備えており、両蓋部材14，14の放電電極部18，18間には、所定の放電間隙22が形成されている。
放電電極部18と接合部20を備えた上記蓋部材14は、無酸素銅や、無酸素銅にジルコニウム（Ｚｒ）を含有させたジルコニウム銅で構成されている。尚、ケース部材12の端面と蓋部材14の接合部20とは、銀ろう等のシール材（図示せず）を介して気密封止されている。
【００１８】
また、上記ケース部材12の内壁面24には、その両端が、放電電極を兼ねた上記蓋部材14，14と微小放電間隙26を隔てて配置された線状のトリガ放電膜28が複数形成されている。図１及び図２においては、トリガ放電膜28を、ケース部材12の内壁面24の円周方向に、４５度の等間隔で８本形成した場合が例示されている。
上記トリガ放電膜28は、カーボン系材料等の導電性材料で構成されている。このトリガ放電膜28は、例えば、カーボン系材料より成る芯材を擦り付けることにより形成することができる。
【００１９】
上記放電電極部18の表面には、チタン（Ｔｉ）、モリブデン酸セシウム（Ｃｓ２ＭｏＯ４）、モリブデン酸カリウム（Ｋ２ＭｏＯ４）及び酸化チタン（ＴｉＯ２）が含有された被膜30が形成されている。
【００２０】
上記被膜30は、以下の方法で形成される。
先ず、純水に珪酸ナトリウムを溶解させて成るバインダーと、水素化チタン（ＴｉＨ２）の粉末、モリブデン酸セシウムの粉末、モリブデン酸カリウムの粉末、酸化チタンの粉末を準備する。
次に、上記バインダー中に、水素化チタン（ＴｉＨ２）の粉末、モリブデン酸セシウムの粉末、モリブデン酸カリウムの粉末、酸化チタンの粉末を添加後、撹拌する。
次に、水素化チタン（ＴｉＨ２）の粉末、モリブデン酸セシウムの粉末、モリブデン酸カリウムの粉末、酸化チタンの粉末が添加された上記バインダーを、放電電極部18表面に塗布する。
そして、ケース部材12と蓋部材14との気密封止工程において、ケース部材12を加熱しつつケース部材12内の真空排気が行われると、上記加熱の過程で、バインダー中の水分は蒸発し、また、水素化チタン（ＴｉＨ２）中の水素（Ｈ）が抜けることにより、純度の高いチタンが形成できる。
以上の結果、放電電極部18表面に、チタン、モリブデン酸セシウム、モリブデン酸カリウム及び酸化チタンが含有された上記被膜30が形成される。
【００２１】
上記チタン、モリブデン酸セシウム、モリブデン酸カリウム及酸化チタンの含有割合は、チタンが０．０１〜５０重量％、モリブデン酸セシウムが０．０１〜５０重量％、モリブデン酸カリウムが０．０１〜５０重量％、酸化チタンが０．０１〜５０重量％と成すのが、暗中及び高温環境下で使用された場合の放電開始電圧の上昇抑制、及び、短い周期で繰り返し動作させた場合における長時間の安定的な連続放電特性の観点から好ましい。
また、チタン、モリブデン酸セシウム、モリブデン酸カリウム及び酸化チタンと、バインダーとの配合割合は、チタン、モリブデン酸セシウム、モリブデン酸カリウム及び酸化チタンが１０〜９０重量％、バインダーが１０〜９０重量％と成される。
尚、バインダー中の珪酸ナトリウムと純水との配合割合は、珪酸ナトリウムが０．０１〜７０重量％、純水が９９．９９〜３０重量％の配合割合で混合される。
【００２２】
上記気密外囲器16内には、所定の放電ガスが封入されている。この放電ガスとしては、例えば、ネオン（Ｎｅ）とアルゴン（Ａｒ）の混合ガス中に、水素（Ｈ２）を混合して構成した放電ガスが該当する。
【００２３】
本考案の上記第１の放電管10にあっては、放電電極を兼ねた上記一対の蓋部材14，14間に、当該放電管10の放電開始電圧以上の電圧が印加されると、トリガ放電膜28の両端と蓋部材14，14間の微小放電間隙26に電界が集中し、これにより微小放電間隙26に電子が放出されてトリガ放電としての沿面コロナ放電が発生する。次いで、この沿面コロナ放電は、電子のプライミング効果によってグロー放電へと移行する。そして、このグロー放電が放電電極部18，18間の放電間隙22へと転移し、主放電としてのアーク放電に移行するのである。
【００２４】
本考案の第１の放電管10にあっては、放電電極部18の表面に、チタン、モリブデン酸セシウム、モリブデン酸カリウム及び酸化チタンが含有された被膜30を形成したことにより、暗中及び高温環境下で使用された場合の放電開始電圧の上昇に起因する放電遅れを抑制することができると共に、短い周期で繰り返し動作させた場合において長時間に亘って安定的な連続放電特性を実現することができる。
尚、暗中及び高温環境下で使用された場合の放電開始電圧の上昇に起因する放電遅れを抑制することができるのは、チタン、モリブデン酸セシウム、モリブデン酸カリウム及び酸化チタンを含有させて被膜30を構成した場合、暗中及び高温環境下に置かれても、被膜30中の不純ガスの放出が抑制されると共に、電子放出特性が良好で安定した放電を得られるためであると考えられる。
【００２５】
図３乃至図６は、本考案に係る第２の放電管40を示すものであり、この第２の放電管40は、放電電極部18の表面に、略直方体状の多数の穴部29を略マトリクス状に配置形成し、各穴部29内面に、チタン、モリブデン酸セシウム、モリブデン酸カリウム及び酸化チタンが含有された被膜30を形成した点に特徴を有するものであり、その他の構成は、上記第１の放電管10と実質的に同一である。
【００２６】
本考案の上記第２の放電管40にあっても、上記第１の放電管10と同様に、放電電極部18の表面に、チタン、モリブデン酸セシウム、モリブデン酸カリウム及び酸化チタンが含有された被膜30を形成したことにより、暗中及び高温環境下で使用された場合の放電開始電圧の上昇に起因する放電遅れを抑制することができると共に、短い周期で繰り返し動作させた場合において長時間に亘って安定的な連続放電特性を実現することができる。
尚、第２の放電管40は、放電電極部18の表面に多数の穴部29を形成し、該穴部29内面に上記被膜30を形成したことにより、放電電極部18と被膜30の密着力が向上し、放電時の衝撃による被膜30のスパッタを抑制する効果を奏する。
【００２７】
図７は、本考案に係る第２の放電管40を、ＨＩＤランプ点灯用のスイッチングスパークギャップとして用いるためのイグナイタ回路に組み込み、２０ｍｓ周期で繰り返し動作させた場合にＨＩＤランプに印加されるパルス電圧の推移を示すチャートであり、図８は、第２の放電管40の被膜30に代えて、チタン、モリブデン酸セシウム、酸化マグネシウム、モリブデン酸カリウム及びモリブデン酸ルビジウムが含有された被膜を用いた比較例の放電管を、ＨＩＤランプ点灯用のスイッチングスパークギャップとして用いるためのイグナイタ回路に組み込み、２０ｍｓ周期で繰り返し動作させた場合にＨＩＤランプに印加されるパルス電圧の推移を示すチャートである。
すなわち、図９に示すように、イグナイタ回路41は、電源Ｅ、抵抗Ｒ、コンデンサＣ、第２の放電管40、パルストランス43、ＨＩＤランプ45で構成されており、上記コンデンサＣで蓄積された電荷が、第２の放電管40を介して電圧パルスとしてパルストランス43の１次側に印加されると、パルストランス43の２次側から高電圧パルスが発生し、この高電圧パルスがＨＩＤランプ45に供給されることにより、ＨＩＤランプ45が点灯するようになっている。
本試験は、放電開始電圧が２００Ｖの第２の放電管40、比較例の放電管、昇圧比が１０のパルストランス43を用いた。また、第２の放電管40の被膜30中のチタンの含有割合は２．２１重量％、モリブデン酸セシウムの含有割合は６．６２重量％、モリブデン酸カリウムの含有割合は２．２１重量％、酸化チタンの含有割合は０．６６重量％と成されている。  
而して、本考案に係る第２の放電管40は、図７のチャートに示す通り、パルス電圧が常に約±２０００Ｖで安定しており、図７に示す安定した波形が３０分以上も持続し、長時間に亘って安定的な連続放電特性が得られた。
一方、比較例の放電管は、図８のチャートに示す通り、パルス電圧にバラツキが生じて不安定であり、しかも、動作開始後、僅か３〜５分でパルス電圧にバラツキが発生した。                                   
【００２８】
図１０は、本考案に係る上記第２の放電管40の暗中における放電回数と初期放電開始電圧との関係を示すグラフ、図１１は、本考案に係る上記第２の放電管40の暗中におけるの放電回数と追随放電開始電圧との関係を示すグラフである。
尚、初期放電開始電圧は、放電管を繰り返し動作させた場合における初回の放電開始電圧のことをいい、この初期放電開始電圧に続く２回目以降の放電開始電圧を追随放電開始電圧という。
試験条件は、ＡＣ２００Ｖを印加して、３０ｓ毎にＯＮとＯＦＦを繰り返して行った。
図１０及び図１１のグラフに示される通り、本考案の第２の放電管40は、放電回数が３０００万回となっても、初期放電開始電圧及び追随放電開始電圧の上昇が少なく、暗中において使用された場合の放電遅れが抑制されていることが判る。
【００２９】
図１２乃至図１５は、本考案に係る第３の放電管50を示すものであり、この第３の放電管50は、放電電極部18の表面に、略半球状の穴部29を多数形成し、各穴部29内面に、チタン、モリブデン酸セシウム、モリブデン酸カリウム及び酸化チタンが含有された上記被膜30を形成した点に特徴を有するものであり、その他の構成は、上記第１の放電管10と実質的に同一である。
図１３及び図１５に示すように、上記穴部29は、円筒状のケース部材12の内壁面24と同心の円（以下、同心円と称する）Ｘ，Ｙ上に等間隔で配置形成されている。すなわち、同心円Ｘ上に、３０度の等間隔で１２個の穴部29が形成され、また、同心円Ｙ上に、９０度の等間隔で４個の穴部29が形成されている。また、円筒状のケース部材12の円心の位置にも１個の穴部29が配置形成されている。
尚、図１３及び図１５の同心円Ｘ，Ｙは説明の便宜上示した仮想円である。
【００３０】
尚、放電電極部18の表面に形成する穴部29の形状は、上記した「略半球状」に限定されるものではなく、図１６及び図１７の第３の放電管50の変形例に示すように、「略直方体状」であっても良い。
もっとも、穴部29を「略半球状」と成した場合の方が、被膜30の状態が安定化し、放電特性のバラツキを低減することができるので好ましい。すなわち、穴部29を「略半球状」と成した場合には、穴部29の全方向から表面張力が均等に掛かり、その結果、被膜30が全方向に均等に形成されるため、被膜30の状態が安定化し、放電特性のバラツキを低減することができるのである。
【００３１】
本考案の上記第３の放電管50にあっても、上記第１の放電管10と同様に、放電電極部18の表面に、チタン、モリブデン酸セシウム、モリブデン酸カリウム及び酸化チタンが含有された被膜30を形成したことにより、暗中及び高温環境下で使用された場合の放電開始電圧の上昇に起因する放電遅れを抑制することができると共に、短い周期で繰り返し動作させた場合において長時間に亘って安定的な連続放電特性を実現することができる。
【００３２】
尚、放電時の衝撃で上記被膜30はスパッタされやすく、スパッタ飛散物がケース部材12の内壁面24やトリガ放電膜28に付着・堆積することが、放電開始電圧の不安定化をもたらす原因であり、特に、スパッタ飛散物の堆積量が、ケース部材12の内壁面24やトリガ放電膜28の箇所毎にバラバラであることが、放電開始電圧の不安定化を促進する大きな要因となっている。
すなわち、上記２の放電管40の如く、被膜30の形成される穴部29が、放電電極部18の表面にマトリクス状に配置形成されていると、円筒状のケース部材12の内壁面24と各穴部29との距離がバラバラであるため、穴部29との距離が小さい箇所のケース部材12の内壁面24・トリガ放電膜28へのスパッタ飛散物の堆積量は多くなり、一方、穴部29との距離が大きい箇所のケース部材12の内壁面24・トリガ放電膜28へのスパッタ飛散物の堆積量は少ないことから、放電開始電圧の不安定化を生じることがある。
これに対し、本考案に係る第３の放電管50にあっては、被膜30が形成される多数の穴部29を、円筒状のケース部材12の内壁面24と同心の円Ｘ，Ｙ上に配置形成したので、同一の円Ｘ又はＹ上に配置された各穴部29とケース部材12の内壁面24との距離は全て同一となる。
このため、ケース部材12の内壁面24の特定の箇所及び特定のトリガ放電膜28において、スパッタ飛散物の堆積量に多少の差が生じることを抑制でき、ケース部材12の内壁面24及びトリガ放電膜28へのスパッタ飛散物の堆積量が平準化されるので、放電開始電圧の安定化を実現できる。
【図面の簡単な説明】
【００３３】
【図１】本考案に係る第１の放電管を示す概略断面図である。
【図２】図１のＡ−Ａ概略断面図である。
【図３】本考案に係る第２の放電管を示す概略断面図である。
【図４】図３のＢ−Ｂ概略断面図である。
【図５】本考案に係る第２の放電管の要部拡大断面図である。
【図６】本考案に係る第２の放電管の放電電極部表面を示す拡大図である。
【図７】本考案に係る第２の放電管をイグナイタ回路に組み込み、２０ｍｓ周期で繰り返し動作させた場合にＨＩＤランプに印加されるパルス電圧の推移を示すチャートである。
【図８】比較例の放電管をイグナイタ回路に組み込み、２０ｍｓ周期で繰り返し動作させた場合にＨＩＤランプに印加されるパルス電圧の推移を示すチャートである。
【図９】本考案に係る第２の放電管を組み込んだイグナイタ回路を示す回路図である。
【図１０】本考案に係る第２の放電管の暗中での放電回数と初期放電開始電圧との関係を示すグラフである。
【図１１】本考案に係る第２の放電管の暗中での放電回数と追随放電開始電圧との関係を示すグラフである。
【図１２】本考案に係る第３の放電管を示す概略断面図である。
【図１３】図１１のＣ−Ｃ概略断面図である。
【図１４】本考案に係る第３の放電管の要部拡大断面図である。
【図１５】本考案に係る第３の放電管の放電電極部表面を示す拡大図である。
【図１６】本考案に係る第３の放電管の変形例の放電電極部表面を示す拡大図である。
【図１７】本考案に係る第３の放電管の変形例の要部拡大断面図である。
【図１８】従来の放電管を示す概略断面図である。
【符号の説明】
【００３４】
10  第１の放電管
12  ケース部材
14  蓋部材
16  気密外囲器
18  放電電極部
20  接合部
22  放電間隙
24  ケース部材の内壁面
26  微小放電間隙
28  トリガ放電膜
29  穴部
30  被膜
40  第２の放電管
50  第３の放電管
Ｘ  円筒状のケース部材の内壁面と同心の円
Ｙ  円筒状のケース部材の内壁面と同心の円
【図１】
0003150959.tif 000003
【図２】
0003150959.tif 000004
【図３】
0003150959.tif 000005
【図４】
0003150959.tif 000006
【図５】
0003150959.tif 000007
【図６】
0003150959.tif 000008
【図７】
0003150959.tif 000009
【図８】
0003150959.tif 000010
【図９】
0003150959.tif 000011
【図１０】
0003150959.tif 000012
【図１１】
0003150959.tif 000013
【図１２】
0003150959.tif 000014
【図１３】
0003150959.tif 000015
【図１４】
0003150959.tif 000016
【図１５】
0003150959.tif 000017
【図１６】
0003150959.tif 000018
【図１７】
0003150959.tif 000019
【図１８】
0003150959.tif 000020